(57)【要約】      （修正有）【課題】確実な作動と安全な設置が可能な動物用罠装置を提供する。【解決手段】動物用罠装置は、基台１と、回動自在に基台上に固定され、捕獲ワイヤを外周部の溝で保持する一対のＵ字状ワイヤ保持枠１１と、Ｕ字状ワイヤ保持枠内において一端が回動自在にかつ弾性的に基台方向に付勢されて基台上に固定された踏み板２０と、同じく基台上に回動可能に固定された作動板３と、一対のＵ字状ワイヤ保持枠を上下より係止できる作動防止爪５および作動補助爪６と、作動防止爪および作動補助爪が踏み板から遠ざかる方向に付勢するバネ４とを有する作動部材と、踏み板と作動板とを水平近傍に保持できるように構成された保持機構と、先端がループ状に構成され、ループ径を自在に変更できる手段とループ径を縮小する方向に付勢する手段とを有する捕獲ワイヤとからなる。【選択図】図１
0003192768.tif 000002
【実用新案登録請求の範囲】
【請求項１】
基台と；回動自在に前記基台上に固定された一対のＵ字状ワイヤ保持枠と；前記Ｕ字状ワイヤ保持枠内において一端が回動自在にかつ弾性的に前記基台方向に付勢されて前記基台上に固定された踏み板と；同じく基台上に回動可能に固定された作動板と、前記一対のＵ字状ワイヤ保持枠を上下より係止できる作動防止爪および作動補助爪と、前記作動防止爪および作動補助爪が前記踏み板から遠ざかる方向に付勢するバネとを有する作動部材と；前記踏み板と前記作動板とを水平近傍に保持できるように構成された保持機構と；先端がループ状に構成され、前記ループ径を自在に変更できる手段とループ径を縮小する方向に付勢する手段とを有する捕獲ワイヤとからなることを特徴とする動物捕獲用罠装置。
【請求項２】
前記保持機構がトリガー部材であることを特徴とする請求項１記載の動物捕獲用罠装置。
【請求項３】
前記Ｕ字状ワイヤ保持枠の各々を前記基台に接するように寝かせた際に、前記Ｕ字状ワイヤ保持枠の各々の下面同士がなす角度が１８０度超であることを特徴とする請求項１または２記載の動物捕獲用罠装置。
【請求項４】
前記それぞれのＵ字状ワイヤ保持枠は、外周部に溝が形成されていることを特徴とする請求項１乃至３のいずれかに記載の動物捕獲用罠装置。
【考案の詳細な説明】
【技術分野】
【０００１】  本考案は、猪、鹿等の有害野生動物を捕獲するための罠装置に関する。
【背景技術】
【０００２】  従来から、猪や鹿等の有害野生動物を捕獲するための罠として、踏み板の反動によるワイヤ発射タイプの装置が提案されている。【０００３】  例えば、特許文献１には、踏み板の上面に半円弧状の作動体を互いに対向させて載置し、各作動体の回動端部を枠体の受け桟に載置し、縮小方向に付勢されたループを有するワイヤを各作動体の外周に懸回してリング状に保形した野生動物用罠が開示されている。しかし、この装置では作動体の支点と受け桟との距離が大きいため、踏み板の降下距離が長くならないと作動しにくいという問題点がある。また、ワイヤを設置する際には、安全のため規制ピンを枠体に差し込み、使用する直前にこのピンを抜き取らなければならないので、手間が掛かる。【０００４】  また、特許文献２には、踏み板と半枠状に構成された１対の作動部材と、この作動部材を指示する枠体と、付勢手段によりループ状に保持された捕獲ワイヤとからなる動物捕獲用罠が開示されている。この装置では、枠体に切り欠き縁を設け、この切り欠き縁により作動部材の回動を発生させるため、作動部材の初動速度を向上し確実に動物を捕獲できるとされる。しかしながら、この装置においては、踏み板と作動部材は一体であるが枠体は分離されているため、ワイヤを設置する際に特別な安全装置を取り付けた上で行わなければならない。
【特許文献】
【０００５】
【特許文献１】実用新案登録第３１２７８３２号公報
【特許文献２】実用新案登録第３１５４１９５号公報
【考案の開示】
【考案が解決しようとする課題】
【０００６】  本考案は上記従来技術の問題点に鑑みてなされたものであり、確実な作動と安全な設置が可能な動物用罠装置を提供することを課題とする。
【課題を解決するための手段】
【０００７】  上記課題を解決するため本考案による動物用罠装置は、基台と；回動自在に前記基台上に固定された一対のＵ字状ワイヤ保持枠と；前記Ｕ字状ワイヤ保持枠内において一端が回動自在にかつ弾性的に前記基台方向に付勢されて前記基台上に固定された踏み板と；同じく基台上に回動可能に固定された作動板と、前記一対のＵ字状ワイヤ保持枠を上下より係止できる作動防止爪および作動補助爪と、前記作動防止爪および作動補助爪が前記踏み板から遠ざかる方向に付勢するバネとを有する作動部材と；前記踏み板と前記作動板とを水平近傍に保持できるように構成された保持機構と；先端がループ状に構成され、前記ループ径を自在に変更できる手段とループ径を縮小する方向に付勢する手段とを有する捕獲ワイヤとからなることを特徴とする。前記保持機構はトリガーピンであることが好適である。【０００８】  前記Ｕ字状ワイヤ保持枠の各々を前記基台に接するように寝かせた際に、前記Ｕ字状ワイヤ保持枠の各々の下面同士がなす角度が１８０度超であることが望ましい。【０００９】  また、前記それぞれのＵ字状ワイヤ保持枠は、外周部に溝が形成されていることが好適である。
【考案の効果】
【００１０】  本考案による動物用罠装置は、基台、Ｕ字状ワイヤ保持枠および踏み板が一体化されているため、罠装置の持ち運びが容易である。また、踏み板と作動部材とをトリガー部材により相対保持しているため、トリガー部材の形状を変更することで罠作動の感度を調節することが可能である。さらに、作動部材は作動防止爪と作動補助爪により上下からＵ字状ワイヤ保持枠を包囲しているため、捕獲ワイヤ取り付け時の安全性と罠作動時の確実性を向上できる。また、この罠装置自体の高さが低いため、罠の設置時に地面を掘り下げるなどの準備の必要がなく、所望の場所に置くだけで設置することができる。
【考案を実施するための最良の形態】
【実施例】
【００１１】  以下、図面に基づいて本考案の好適な実施例について説明する。図１に本考案による罠装置の一実施例の正面側からの斜視図を示す。図２は同じ実施例の背面側からの斜視図を示す。基台１の相対する２辺端部にＵ字状ワイヤ保持枠支持部２Ａ、２Ｂが設けられ、１対のＵ字状ワイヤ保持枠１１の凸状部１２が外側を向くよう、またそれぞれのワイヤ保持枠１１が基台１に対して垂直方向に回動可能となるよう、ワイヤ保持枠回動軸１３により固定されている。従って、Ｕ字状ワイヤ保持枠１１は開かれた（基台１に最接近した状態）において全体として長円形をなすよう配置されている。この状態のときにＵ字状ワイヤ保持枠１１を下側から支持するため、基台１の背面側（図２）に、ワイヤ保持枠ストッパー８が設けられている。【００１２】  手前側のＵ字状ワイヤ保持枠支持部２Ａの内側に隣接して、作動部材が設けられている。作動部材は、作動板３、作動板駆動バネ４、作動軸７、作動防止爪５および作動補助爪６とから構成される。作動板３は上部が基台１内側に突出しており、両端部には逆側（基台１の外側）に突出するよう作動防止爪５および作動補助爪６が設けられている。これらの爪はＵ字状ワイヤ保持枠１１の回動軌道と交差するよう延出されており、Ｕ字状ワイヤ保持枠１１が開かれた状態の時に、上下から挟み込む配置とされている。作動部材は作動軸７とこの軸に取り付けられた作動板駆動バネ４により、回動可能かつ作動板３が基台１に近づく方向（作動防止爪５および作動補助爪６は基台１から遠ざかる方向）に付勢されて取り付けられている。【００１３】  基台１上にはさらに、踏み板２０が取り付けられている。踏み板２０は、外形が開かれたＵ字状ワイヤ保持枠１１内に収まる形状に構成されており、基台１の背面側のＵ字状ワイヤ保持枠支持部２Ｂの内側に、踏み板用ヒンジ２２により回動可能に固定されている。図３にこの実施例の背面図を示したが、踏み板用ヒンジ２２には踏み板付勢バネ２３が設けられ、踏み板２０を下方向、すなわち基台１に接する方向に付勢している。踏み板２０の踏み板用ヒンジ２２と反対側の辺には、トリガー部材２１が設けてある。踏み板２０回動軌道と作動部材の回動軌道は、トリガー部材２１と作動板３端部において接しており、トリガー部材２１と作動板３を接触係止することにより、踏み板２０と作動部材とがほぼ水平に保持できるよう構成されている。【００１４】  図４にトリガー部材２１と作動板３との係止が外れた状態の側面図を示す。踏み板２０に上部から荷重がかかると踏み板２０は下方向に回動する。荷重が一定以上になった際にトリガー部材２１と作動板３との係止が外れるため、付勢されている作動板３を含む作動部材は図４において時計回りに回動し、その結果作動防止爪５がＵ字状ワイヤ保持枠１１の回動規制を解除し、また作動補助爪６が下側からＵ字状ワイヤ保持枠１１を押し上げることにより、Ｕ字状ワイヤ保持枠１１は上へと跳ね上げられる。【００１５】  図５に上記実施例の正面図を示した。Ｕ字状ワイヤ保持枠１１が開かれた状態で保持されている際には、両方のＵ字状ワイヤ保持枠１１のなす角度は１８０度未満、すなわちＵ字状ワイヤ保持枠１１はＡ−Ａ’線よりも上向きとなってい��。径が縮小する方向に付勢された捕獲ワイヤがＵ字状ワイヤ保持枠１１に取り付けられると、Ｕ字状ワイヤ保持枠１１には上向きの応力が働くため、上側に閉じようとする。しかし、作動防止爪５がＵ字状ワイヤ保持枠１１上部を押圧しているため、Ｕ字状ワイヤ保持枠１１は開いた状態を保持できる。捕獲ワイヤを取り付けた際にＵ字状ワイヤ保持枠１１から予期せずに外れるのを防止するため、Ｕ字状ワイヤ保持枠１１外側には溝部を形成し、密着性を上げてある。【００１６】  図６には、トリガー部材２１の拡大図を示す。上記実施例ではトリガー部材２１として円筒状のピンを使用した。このトリガー部材の中間部には小径部を設けてある。トリガー部材２１と作動板３とを小径部において係止させると、踏み板２０に荷重がかかった際に作動板３が回動するための抵抗力が増すため、体重の軽い小動物では罠が作動せず、対象を体重の重い動物に限定することが可能となる。【００１７】  次に、上記実施例の作動について説明する。図７に上記実施例の罠装置に捕獲ワイヤを取り付けた状態を示す。Ｕ字状ワイヤ保持枠１１を開いた状態で、作動板３とトリガー部材２１を係止し、作動防止爪５によりＵ字状ワイヤ保持枠１１の回動上昇を規制しておく。捕獲ワイヤを取り付ける際は、罠装置の背面側、すなわち作動部材のない側にワイヤの係止部３１がくるようにする。バネ受け部３２とバネ圧縮管３４との間でバネ３３が圧縮された状態となっているため、Ｕ字状ワイヤ保持枠１１に取り付けた捕獲ワイヤ３０は径が縮小する方向に付勢されている。この状態で、罠装置を所望する場所に設置しておく。動物がこの装置上に来て踏み板２０を踏むと、図４に示したようにトリガー部材２１と作動板３との係止がはずれて、踏み板２０は反時計回りに、また作動板３は時計回りに回動し、それに従って作動防止爪５がＵ字状ワイヤ保持枠１１の回動規制を解除し、また作動補助爪６が下側からＵ字状ワイヤ保持枠１１を押し上げる。Ｕ字状ワイヤ保持枠１１が回動すると捕獲ワイヤは外れて径が縮小し、動物の足に掛かる。【００１８】  上記実施例においては、作動部材をＵ字状ワイヤ保持枠支持部２Ａの内側に隣接して配置した構成を示したが、図８に示したように、Ｕ字状ワイヤ保持枠支持部２Ａの外側に配置することも可能である。この実施例の場合は、作動板３と作動防止爪５および作動補助爪６とが同じ方向に設けられている。また、これらの作動部材の回動しすぎを防止するため、作動爪ストッパーが設けてある。動作原理は上述の実施例の場合と同様である。
【産業上の利用可能性】
【００１９】  以上説明したように、本考案による動物用罠装置は持ち運びの容易性、確実な作動と安全な設置を可能にできるため、有害動物捕獲に極めて有用である。
【図面の簡単な説明】
【００２０】
【図１】本考案による罠装置の一実施例の正面側からの斜視図である。
【図２】図１に示した実施例の背面側からの斜視図である。
【図３】図１に示した実施例の背面図である。
【図４】図１に示した実施例において、踏み板が作動した状態を示す側面図である。
【図５】図１に示した実施例の正面図である。
【図６】図１に示した実施例におけるトリガー部材の拡大図である。
【図７】図１に示した実施例に捕獲ワイヤを取り付けた完成図である。
【図８】本考案による第２の実施例の要部を示す斜視図である。
【符号の説明】
【００２１】１                  基台
２Ａ、２Ｂ          Ｕ字状ワイヤ保持枠支持部
３                  作動板
４                  作動板駆動バネ
５                  作動防止爪
６                  作動補助爪
７                  作動軸
８                  ワイヤ保持枠ストッパー
９                  作動爪ストッパー
１１                Ｕ字状ワイヤ保持枠
１２                凸状部
１３                ワイヤ保持枠回動軸
１４                溝部
２０                踏み板
２１                トリガー部材
２２                踏み板用ヒンジ
２３                踏み板付勢バネ
３０                捕獲ワイヤ
３１                係止部
３２                バネ受け部
３３                バネ
３４                バネ圧縮管
0003192768.tif 000003
【手続補正書】
【提出日】平成26年6月23日(2014.6.23)
【手続補正１】
【補正対象書類名】図面
【補正対象項目名】全図
【補正方法】変更
【補正の内容】
【図１】
0003192768.tif 000004
【図２】
0003192768.tif 000005
【図３】
0003192768.tif 000006
【図４】
0003192768.tif 000007
【図５】
0003192768.tif 000008
【図６】
0003192768.tif 000009
【図７】
0003192768.tif 000010
【図８】
0003192768.tif 000011